(57)【要約】【課題】メンテナンス時において、メンテナンスに不必要な機能が実行されることを防止する。【解決手段】便器の上部に設けられる便座装置であって、前記便座装置の機能部と、開口部が形成されており、前記機能部を覆う本体カバーと、前記開口部を開閉可能なトップカバーと、前記トップカバーの開閉を検出する開閉検出部と、を備える。【選択図】図１
2019170866.tif 000002
【特許請求の範囲】
【請求項１】
便器の上部に設けられる便座装置であって、
前記便座装置の機能部と、
開口部が形成されており、前記機能部を覆う本体カバーと、
前記開口部を開閉可能なトップカバーと、
前記トップカバーの開閉を検出する開閉検出部と、
を備えることを特徴とする便座装置。
【請求項２】
前記機能部は、
前記開閉検出部により前記トップカバーの開状態が検出された場合には、便座と前記便座を覆う便蓋とが開閉しないように制御する請求項１に記載の便座装置。
【請求項３】
前記機能部は、
前記開閉検出部により前記トップカバーの開状態が検出された場合には、前記便座装置のメンテナンス時に不必要な機能を停止させる請求項１又は２に記載の便座装置。
【請求項４】
前記トップカバーが開状態となることでメンテナンス可能な状態となるメンテナンス装置をさらに備え、
前記機能部は、前記開閉検出部により前記トップカバーの開状態が検出された場合には、前記メンテナンス装置に試運転を実行させる請求項１から３のいずれか一項に記載の便座装置。
【請求項５】
前記機能部は、前記便座装置の設定を変更可能な操作部と、前記設定を表示する表示部を備え、
前記操作部及び前記表示部は、前記本体カバーの上面に設けられている請求項１から４のいずれか一項に記載の便座装置。
【発明の詳細な説明】
【技術分野】
【０００１】
本発明は、便座装置に関する。
【背景技術】
【０００２】
下記特許文献１には、便器洗浄や、局部洗浄、脱臭等の機能を実行可能な機能部が本体カバーにより収納された便座装置が開示されている。
【０００３】
この本体カバーの上面には開口部が形成されており、機能部のうち、使用者によりメンテナンスが必要な部品（例えば、脱臭カートリッジ）が上記開口部により露出するように配置されている。また、便座装置は、本体カバーの上面を覆うように当該本体カバーに対して着脱自在なトップカバーを備える。
【０００４】
これにより、通常の使用時においては、トップカバーが本体カバーに取り付けられていることで開口部を覆い、当該開口部に水やほこりが進入することを防止する。
一方、メンテナンス時には、使用者は、トップカバーを本体カバーから取り外すことで、開口部から脱臭カートリッジの交換等のメンテナンスを行うことができる。
【先行技術文献】
【特許文献】
【０００５】
【特許文献１】特開２００８−２９７７８５号公報
【発明の概要】
【発明が解決しようとする課題】
【０００６】
ところで、使用者は、トップカバーを取り外してメンテナンスを行っている場合において、誤ってリモコン装置に触れてしまい誤操作してしまう場合がある。したがって、トップカバーを取り外してメンテナンスを行っているにもかかわらず、便蓋や便座の開閉動作や便座洗浄機能等の不要な機能が実行されてしまい、商品性の悪化を招く。
【０００７】
本発明は、このような事情に鑑みてなされたもので、その目的は、メンテナンス時において、メンテナンス時に不必要な機能が実行されることを防止可能な便座装置を提供することである。
【課題を解決するための手段】
【０００８】
本発明の一態様は、便器の上部に設けられる便座装置であって、前記便座装置の機能部と、開口部が形成されており、前記機能部を覆う本体カバーと、前記開口部を開閉可能なトップカバーと、前記トップカバーの開閉を検出する開閉検出部と、を備えることを特徴とする便座装置である。
【０００９】
本発明の一態様は、上述の便座装置であって、前記機能部は、前記開閉検出部により前記トップカバーの開状態が検出された場合には、便座と前記便座を覆う便蓋とが開閉しないように制御する。
【００１０】
本発明の一態様は、上述の便座装置であって、前記機能部は、前記開閉検出部により前記トップカバーの開状態が検出された場合には、前記便座装置のメンテナンス時に不必要な機能を停止させる。
【００１１】
本発明の一態様は、上述の便座装置であって、前記トップカバーが開状態となることでメンテナンス可能な状態となるメンテナンス装置をさらに備え、前記機能部は、前記開閉検出部により前記トップカバーの開状態が検出された場合には、前記メンテナンス装置に試運転を実行させる。
【００１２】
本発明の一態様は、上述の便座装置であって、前記機能部は、前記便座装置の設定を変更可能な操作部と、前記設定を表示する表示部を備え、前記操作部及び前記表示部は、前記本体カバーの上面に設けられている。
【発明の効果】
【００１３】
以上説明したように、本発明によれば、メンテナンス時において、メンテナンスに不必要な機能が実行されることを防止することができる。
【図面の簡単な説明】
【００１４】
【図１】本発明の一実施形態に係るトイレシステムＡの概略構成の一例を示す図である。
【図２】発明の一実施形態に係る機能部１０の概略構成を示す図である。
【図３】本発明の一実施形態に係るトイレ装置１の他の構成例を示す図である。
【発明を実施するための形態】
【００１５】
以下、本発明の一実施形態に係る便座装置を、図面を用いて説明する。
【００１６】
図１は、本発明の一実施形態に係るトイレシステムＡの概略構成の一例を示す図である。図１に示すように、トイレシステムＡは、トイレ装置１及びリモコン装置２を備える。
【００１７】
トイレ装置１は、トイレルームに設けられており、リモコン装置２と有線又は無線通信することで情報を送受する。
【００１８】
リモコン装置２は、トイレルームの所定位置に設置されている。例えば、この所定位置とは、トイレルームの壁面である。リモコン装置２には、複数の操作スイッチが設けられており、使用者は、例えば、便器洗浄や局部洗浄に対応した操作スイッチを押下操作することで、トイレ装置１に対して便器洗浄や局部洗浄を実行させることができる。
【００１９】
以下に、本発明の一実施形態に係るトイレ装置１の構成について、図１及び図２を用いて説明する。図２は、本発明の一実施形態に係る機能部１０の概略構成を示す図である。
【００２０】
トイレ装置１は、便器本体３及び便座装置４を備える。
【００２１】
便器本体３は、トイレルーム内の床面に設置されている。便器本体３の上部には、便座装置４が設置されている。
【００２２】
便座装置４は、本体カバー５、トップカバー６、開閉検出部７、便座８、便蓋９及び機能部１０を備える。
【００２３】
本体カバー５は、便器本体３の後部かつ上部に載置された機能部１０を収容するように当該機能部１０を上側から覆うカバーである。機能部１０は、便器洗浄や局部洗浄等の各種機能を実行するための装置や部品であって、便器本体３の後部かつ上部にベースプレート（不図示）を介して載置されている。したがって、この本体カバー５は、機能部１０を覆うようにベースプレートに固定される。
【００２４】
本体カバー５の上面６１には、開口部６２が形成されている。
開口部６２は、便座装置４において使用者によりメンテナンスが必要な装置の部品を露出させるためのものである。以下において、メンテナンスが必要な装置を「メンテナンス装置」と称し、そのメンテナンス装置においてメンテナンスする部品を「メンテナンス部品」と称す。
例えば、開口部６２は、本体カバー５の上面６１に形成された孔であり、本体カバー５内のメンテナンス部品を露出させる。ただし、本発明はこれに限定されず、例えば、本体カバー５の上面６１に凹部が形成され、当該凹部の上方を開口部６２としてもよい。なお、この凹部には、例えば、メンテナンス部品（洗剤タンク等）が収納される。
【００２５】
上記メンテナンス装置は、例えば、メンテナンス装置は、温風乾燥装置、部屋暖房装置、脱臭装置、吐泡装置等である。
温風乾燥装置は、便座８に着座した使用者の局部に温風を吹き付けて乾燥させる温風乾燥機能を有する装置である。また、部屋暖房装置は、部屋暖房用の温風をトイレルームに吹き出す部屋暖房機能を有する装置である。そのため、乾燥装置や部屋暖房装置がメンテナンス装置として便座装置４に設けられている場合には、その乾燥装置や部屋暖房装置で使用されているフィルタがメンテナンス部品として開口部６２から露出させるように配置される。これにより、使用者は開口部６２からフィルタを交換するメンテナンスを行うことができる。
【００２６】
脱臭装置は、便器本体３内の臭気を吸い込んで脱臭する脱臭機能を有する装置である。そのため、脱臭装置がメンテナンス装置として便座装置４に設けられている場合には、この脱臭装置に使用されている、フィルタや脱臭剤を有する脱臭カートリッジがメンテナンス部品として開口部６２から露出させるように配置される。これにより、使用者は開口部６２からフィルタや脱臭カートリッジを交換するメンテナンスを行うことができる。
【００２７】
吐泡装置は、洗剤タンク内にある洗剤を用いて泡を生成し、その生成した泡を便器本体３内の溜め水の水面上に吐出する吐泡機能を有する装置である。例えば、吐泡装置がメンテナンス装置として便座装置４に設けられている場合には、この吐泡装置に使用されている洗剤タンクがメンテナンス部品として開口部６２から露出させるよう配置される。これにより、使用者は開口部６２から洗剤タンクを交換するメンテナンスを行うことができる。
【００２８】
トップカバー６は、開口部６２を開閉可能なカバーである。このトップカバー６は、本体カバー５に対して取り付けられ、トップカバー６が閉状態である場合には、開口部６２を覆う。すなわち、トップカバー６が閉状態である場合には、開口部６２が閉鎖される。また、トップカバー６が開状態である場合には、開口部６２が開放される。
本実施形態では、トップカバー６は、本体カバー５に対して着脱自在な構成を有する。具体的には、使用者によりトップカバー６が本体カバー５に取り付けられると、トップカバー６は、閉状態となり、開口部６２を閉鎖する。また、使用者によりトップカバー６が本体カバー５から取り外されると、トップカバー６は、開状態となり、開口部６２を開放する。ただし、本発明は、開口部６２を開閉可能であれば、トップカバー６の開閉の態様には特に限定されない。例えば、トップカバーは、本体カバー５に軸支され、本体カバー５に上下方向に回動可能に取り付けられ、上方向に回動することで開口部６２を開放するように構成されれてもよい。なお、トップカバー６は、本体カバー５に対して左右方向に回動可能に取り付けられてもよい。
【００２９】
このように、トップカバー６が閉状態となり開口部６２が閉鎖された場合には、開口部６２に水やほこりが進入することを防止する。
一方、メンテナンス時には、使用者は、トップカバー６を取り外したり、トップカバー６を回動させる等によりトップカバー６を開状態にして開口部６２を開放することで、開口部６２からメンテナンスする、すなわちメンテナンス部品の交換を行うことができる。なお、図１のトップカバー６は、トップカバー６が本体カバー５から取り外された状態を示す。
【００３０】
開閉検出部７は、トップカバー６の開閉を検出する。そして、開閉検出部７は、検出したトップカバー６の開閉状態を機能部１０に出力する。なお、本実施形態では、開閉検出部７は、本体カバー５に対するトップカバー６の着脱を検出することで、トップカバー６の開閉を検出する場合について説明するが、本発明はこれに限定されない。例えば、開閉検出部７は、本体カバー５に対するトップカバー６の回動を検出することで、トップカバー６の開閉を検出してもよい。
【００３１】
以下において、開閉検出部７が本体カバー５に対するトップカバー６の着脱を検出する場合について説明する。
例えば、開閉検出部７は、リミットスイッチを用いてトップカバー６の着脱を検出する構成を有する。具体的には、リミットスイッチを本体カバー５に設置し、トップカバー６が本体カバー５に取り付けられた場合には、そのトップカバー６がリミットスイッチを押下することでオン状態となる。したがって、開閉検出部７は、リミットスイッチがオフ状態からオン状態に移行した場合には、トップカバー６が本体カバー５に取り付けられたこと、すなわちトップカバー６の閉状態を検出する。一方、開閉検出部７は、リミットスイッチがオン状態からオフ状態に移行した場合には、本体カバー５からトップカバー６が取り外されたこと、すなわちトップカバー６の開状態を検出する。
【００３２】
なお、開閉検出部７は、ホール素子を用いてトップカバー６の着脱を検出してもよい。具体的には、トップカバー６にセンサマグネットを設置し、本体カバー５にホール素子を設置する。そして、開閉検出部７は、トップカバー６が本体カバー５に取り付けられ、センサマグネットがホール素子に近接した場合に、ホール素子がセンサマグネットの磁界を検出する構成とする。これにより、開閉検出部７は、ホール素子が磁界を検出した場合には、トップカバー６が本体カバー５に取り付けられていることを検出する。一方、開閉検出部７は、ホール素子が磁界を検出しなくなった場合には、本体カバー５からトップカバー６が取り外されたことを検出する。
【００３３】
ただし、開閉検出部７におけるトップカバー６の着脱の検出方法は、上述した方法に限定されず、トップカバー６の着脱を検出できれば、特に限定されない。
【００３４】
便座８は、本体カバー５に対して上下方向に回動可能に支持されている。すなわち、便座８は、本体カバー５に軸支されており、便器本体３に対して起立状態と倒伏状態との間で回動自在である。なお、以下の説明において、便座８の起立状態を開状態と称し、倒伏状態を閉状態と称す。
【００３５】
便蓋９は、本体カバー５に対して上下方向に回動可能に支持されている。すなわち、便蓋９は、本体カバー５に軸支されており、便器本体３に対して起立状態と倒伏状態との間で回動自在である。なお、以下の説明において、便座８の起立状態を開状態と称し、倒伏状態を閉状態と称す。
【００３６】
また、便蓋９が閉状態である場合には、当該便蓋９は、便座８及びトップカバー６の上面を連続して覆うような状態となる。
【００３７】
次に、本発明の一実施形態に係る機能部１０の概略構成の一例を説明する。
【００３８】
図２に示すように、機能部１０は、無線通信部２１、着座センサ２２、便器洗浄装置２３、局部洗浄装置２４、便蓋開閉駆動装置２５、便座開閉駆動装置２６、メンテナンス装置２７、操作部２８、表示部２９、及び制御部３０を備える。
【００３９】
無線通信部２１は、リモコン装置２と無線通信することで情報を送受する。
【００４０】
着座センサ２２は、使用者の便座８への着座を検知する。着座センサ２２は、使用者による便座８への着座を検知すると、着座検知信号を制御部３０に出力する。
【００４１】
便器洗浄装置２３は、制御部３０から出力される第１洗浄信号に基づいて便器本体３の便鉢に洗浄水を吐出する。これにより、便器洗浄（小洗浄又は大洗浄）を行うことができる。
【００４２】
局部洗浄装置２４は、制御部３０からの制御に基づいてノズル（不図示）の先端から温水を噴出する。これにより、局部洗浄装置２４は、便座８に着座している使用者の臀部を洗浄する局部洗浄（おしり洗浄又はビデ洗浄）を行うことができる。
【００４３】
便蓋開閉駆動装置２５は、制御部３０からの制御に基づいて便蓋９を回動させることで、便蓋９を開状態又は閉状態に制御する。
便座開閉駆動装置２６は、制御部３０から送信された便座駆動信号に基づいて便座８を回動させることで、便座８を開状態又は閉状態に制御する。
【００４４】
メンテナンス装置２７は、上述したように、機能部１０の一部であって、使用者によりメンテナンスが必要な装置である。メンテナンス装置２７は、制御部３０により駆動が制御される。
【００４５】
操作部２８は、本体カバー５の上面６１に設けられており、便座装置４の設定を変更可能である。すなわち、操作部２８は、使用者（管理者や施工者を含む）により操作されることで、便座装置４の設定を変更することができる。例えば、便座装置４の設定とは、便座８の設定温度や、ビデ洗浄及びビデ洗浄のシャワーの設定温度である。したがって、操作部２８が操作される場合とは、例えば、管理者や施工者などの特定の者のみが操作する場合が考えられる。
操作部２８は、設定変更された便座装置４の情報を制御部３０に出力する。なお、操作部２８は、使用者により操作されるボタン等であってもよいし、表示部２９と一体に構成された、例えば、タッチパネルとして機能してもよい。
【００４６】
表示部２９は、本体カバー５の上面６１に設けられており、制御部３０から出力される種々の情報を表示可能である。例えば、表示部２９は、制御部３０から出力される便座装置４の現在の設定を表示する。また、表示部２９は、操作部２８に応じて設定変更される便座装置４の設定をリアルタイムに表示することができる。例えば、表示部２９は、液晶ディスプレイ（Liquid Crystal Display；ＬＣＤ）である。ただし、表示部２９は、ＬＣＤに限定されず、表示機能を有していれば、ＬＣＤに限定されない。
【００４７】
制御部３０は、開閉検出部７がトップカバー６の取り外しを検出することでトップカバー６の開状態を検出した場合には、上記メンテナンスに不必要な機能が実行されることを防止する制御として開閉禁止制御及び機能停止制御の少なくともいずれの制御を行う。以下に、開閉禁止制御及び機能停止制御について説明する。
【００４８】
（開閉禁止制御）
制御部３０は、開閉検出部７がトップカバー６の取り外しを検出することでトップカバー６の開状態を検出した場合には、便座８及び便蓋９が開閉しないように制御する開閉禁止制御を実行する。具体的には、使用者はトップカバー６を取り外すには、手動又はリモコン装置２を操作することにより便蓋９を開状態にする必要がある。したがって、開閉検出部７がトップカバー６の取り外しを検出した場合には、便蓋９が開状態であって、便座８が閉状態である。そこで、制御部３０は、開閉検出部７がトップカバー６の取り外しを検出した場合には、リモコン装置２等から便座８又は便蓋９を開閉させる指令（以下、「開閉指令」という。）を取得したとしても、便座８及び便蓋９が開閉しないように制御する。すなわち、制御部３０は、便座８を閉状態に維持し、かつ便蓋９を開状態に維持するように便蓋開閉駆動装置２５及び便座開閉駆動装置２６の駆動を制御する。これにより、使用者がトップカバー６を取り外してメンテナンスを行っている場合には、便座８や便蓋９の開閉動作が実行されることがない。したがって、使用者はメンテナンスを効率よく実施することが可能となり、メンテナンス性が向上する。なお、制御部３０は、開閉検出部７により本体カバー５に対するトップカバー６の取り付けが検出された場合には、開閉禁止制御を解除する。
【００４９】
（機能停止制御）
制御部３０は、開閉検出部７がトップカバー６の取り外しを検出することでトップカバー６の開状態を検出した場合には、メンテナンス時に不必要な機能を停止させる機能停止制御を実行する。例えば、メンテナンス時に不必要な機能とは、便器洗浄機能、局部洗浄機能、温風乾燥機能、及び吐泡機能である。より具体的には、制御部３０は、開閉検出部７がトップカバー６の取り外しを検出した場合には、上記不必要な機能、例えば便器洗浄機能の実行指令をリモコン装置２から取得したとしても当該機能を実行しない。これにより、メンテナンス時において、不必要な機能が実行されることによる不快感を使用者に与えることがなく、商品性を向上させることができる。
ただし、メンテナンス時に不必要な機能であっても、使用者に不快感を与えない機能であれば、当該機能を停止させなくてもよい。例えば、使用者に不快感を与えない機能とは、便座８を一定温度に制御する機能が該当する。したがって、制御部３０は、メンテナンス時であっても、便座８を一定温度に制御することで、メンテナンス時において便座８が冷えることを防止することができる。これにより、メンテナンス直後であっても使用者が温かい便座８に着座することができる。その他、使用者に不快感を与えない機能として、例えば、部屋暖房機能や脱臭機能が該当する。なお、制御部３０は、開閉検出部７により本体カバー５に対するトップカバー６の取り付け、すなわちトップカバー６の閉状態が検出された場合には、機能停止制御を解除する。
【００５０】
また、制御部３０は、開閉検出部７により本体カバー５に対するトップカバー６の取り付けが検出された場合には、メンテナンスが終了したとみなして、メンテナンス装置２７の動作確認処理を実行する。すなわち、この動作確認処理とは、メンテナンスが正常に行われたか否かを判定する処理である。以下に、動作確認処理について具体的に説明する。
【００５１】
（動作確認処理）
制御部３０は、開閉検出部７によりトップカバー６の閉状態、例えば、本体カバー５に対するトップカバー６の取り付けが検出された場合には、使用者によるメンテナンス（フィルタや脱臭カートリッジ、洗剤タンク等のメンテナンス部品の交換）が終了したとして、メンテナンス装置２７に試運転信号を出力する。
メンテナンス装置２７は、試運転信号を取得すると試運転を実行し、正常にメンテナンスされたか否かを判定する。例えば、メンテナンス装置２７は、試運転時においてエラーが発生しなかった場合には正常にメンテナンスが実施されたと判定する。一方、メンテナンス装置２７は、試運転時においてエラーが発生した場合には正常にメンテナンスが実施されなかったと判定して、制御部３０にエラーの発生を通知する。
制御部３０は、メンテナンス装置２７からエラーの発生の通知を取得した場合には、当該エラーを表示部２９に表示することで、使用者にエラーの発生を報知する。ただし、トップカバー６が本体カバー５に取り付けられている場合には、使用者は表示部２９の表示を確認することができないため、制御部３０は、トップカバー６が本体カバー５に取り付けられている場合であっても視認可能な表示部にエラーを表示してもよい。例えば、上記エラーは、便座装置４ではなくリモコン装置２により表示されてもよい。具体的には、制御部３０は、メンテナンス装置２７からエラーの発生の通知を取得した場合には、リモコン装置２に当該エラーの発生を通知する。そして、リモコン装置２は、制御部３０からエラーの発生の通知を取得した場合には、自装置に設けられた表示部（不図示）に当該エラーを表示することで報知してもよい。なお、エラーを表示するとは、エラーの発生を使用者に報知可能な態様であればよく、文字等による表示であってもよいし、表示部としてＬＥＤ等の表示灯を点滅又は点灯させることであってもよい。
【００５２】
なお、制御部３０は、吐泡装置がメンテナンス装置２７として機能部１０に設けられている場合には、吐泡装置の試運転として、便器本体３に泡を吐出するための配管内に、洗剤タンク内の洗剤をポンプで送り込み、一定量の泡を便器本体３内に吐出させることでその配管内の空気を抜く準備動作を実行させてもよい。
【００５３】
制御部３０は、開閉検出部７によりトップカバー６の開状態、例えば、トップカバー６の取り外しを検出した場合には、メンテナンス装置２７の保守性を向上させるために、上記メンテナンスを実施した日付を表示部２９に表示する保守機能を実行する。以下に、保守機能について具体的に説明する。
【００５４】
（保守機能）
制御部３０は、開閉検出部７によりトップカバー６の開状態、例えば、トップカバー６の取り外しが検出された日付を、メンテナンスが実施された日付として機能部１０内の記憶装置（不図示）に記憶する。さらに、制御部３０は、開閉検出部７によりトップカバー６の取り外しが検出された場合には、前回メンテナンスが実施された日付又は前回メンテナンスが実施されたのが何日前かを記憶装置に記憶された日付に基づいて表示部２９に表示する。これにより、制御部３０は、メンテナンス装置２７の保守性を向上させることができる。
【００５５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５６】
（変形例１）上記実施形態では、閉状態である便蓋９が便座８及びトップカバー６の上面を連続して覆うように構成された便座装置４について説明したが、本発明はこれに限定されない。例えば、図３に示すように、便蓋９Ｂが閉状態である場合には当該便蓋９Ｂはトップカバー６の上面を覆わず、便座８のみを覆う便座装置４Ｂについても本発明を適用可能である。すなわち、図３に示す便座装置４Ｂに対しても、トップカバー６の着脱を検出する開閉検出部７を設けてもよい。また、図３に示す便座装置４Ｂは、上述した機能部１０を備え、開閉禁止制御、機能停止制御、動作確認処理、及び保守機能を実行可能である。
ただし、使用者は、便座装置４Ｂに対してメンテナンスを実行するには、便蓋９が閉状態のときにトップカバー６を取り外す必要がある。したがって、開閉検出部７がトップカバー６の取り外しを検出したときには、便座８及び便蓋９がともに閉状態になっている。そこで、便座装置４Ｂの制御部３０は、開閉禁止制御を実行する場合には、便座８及び便蓋９をともに閉状態に維持するように便蓋開閉駆動装置２５及び便座開閉駆動装置２６の駆動を制御する。これにより、使用者がトップカバー６を取り外してメンテナンスを行っている場合には、便座８や便蓋９の開閉動作が実行されることがない。したがって、使用者はメンテナンスを効率よく実施することが可能となり、メンテナンス性を向上させることができる。
【００５７】
（変形例２）上記実施形態では、開閉検出部７は、本体カバー５に設けられ、トップカバー６の着脱を直接検出する場合について説明したが、本発明はこれに限定されない。例えば、開閉検出部７は、開口部６２内のフィルタや脱臭カートリッジ、洗剤タンク等のメンテナンス部品の有無を検出することで、トップカバー６の着脱を検出してもよい。
すなわち、トップカバー６が取り外されたときには、使用者によりメンテナンス部品の交換が行われることを利用し、開閉検出部７は、メンテナンス部品が開口部６２から取り外されたことを検出した場合には、トップカバー６が本体カバー５から取り外されたことを検出する。また、開閉検出部７は、メンテナンス部品が開口部６２に取り付けられたことを検出した場合には、トップカバー６が本体カバー５に取り付けられたことを検出する。
【００５８】
（変形例３）上記実施形態において、制御部３０は、保守機能において、メンテナンス予定日を使用者の通信装置に通知してもよい。例えば、制御部３０は、メンテナンスが実施された最新の日付から所定期間を加算した日付をメンテナンス予定日として設定し、その設定したメンテナンス予定日を使用者の通信装置に通知する。これにより、使用者は、メンテナンスの実施を忘れずに行うことができる。さらに、制御部３０は、メンテナンスが実施されてから所定期間メンテナンスが実施されていない（開閉検出部７によりトップカバー６が取り外されたことが検出されていない）場合には、その旨を使用者の通信装置に通知してもよい。なお、使用者の通信装置とは、例えば、携帯端末である。
【００５９】
（変形例４）上記実施形態において、機能部１０に音声装置を備え、制御部３０は、開閉検出部７により本体カバー５に対するトップカバー６の取り付けが検出された場合には、メンテナンスが必要なメンテナンス部品やメンテナンスを行う手順等を、音声装置を介して音声により出力してもよい。
【００６０】
（変形例５）上記実施形態では、本体カバー５の上面６１に一つの開口部６２が形成される場合について説明したが、本発明はこれに限定されず、例えば、二以上の開口部６２が形成されてもよい。
【００６１】
（変形例６）上記実施形態において、制御部３０は、トップカバー６が本体カバー５に取り付けられている場合には、表示部２９の表示をオフし、トップカバー６が本体カバー５から取り外された場合には、表示部２９の表示をオンしてもよい。
【００６２】
（変形例７）上記実施形態において、制御部３０は、開閉禁止制御、機能停止制御、動作確認処理、及び保守機能のうち、いずれか一つを実行してもよいし、二つ以上実行してもよい。
【００６３】
（変形例８）上記実施形態では、開口部６２が本体カバー５の上面６１に形成されている場合について説明したが、本発明はこれに限定されない。例えば、開口部６２は、本体カバー５の前面、後面、又は側面に設けられてもよい。なお、本体カバー５の前面とは、便座８が取り付けられている方向である前方方向の面である。後面とは、前方方向と反対方向の面である。また、側面とは、前方方向と直交する方向の面である。
【００６４】
以上、説明したように、本発明の一実施形態に係る便座装置４は、トップカバー６の開閉を検出する開閉検出部７を備える。
【００６５】
このような構成によれば、便座装置４は、トップカバー６が本体カバー５から取り外されたか否かを判別することができる。したがって、便座装置４は、トップカバー６の開状態を検出してトップカバー６が取り外されていると判別した場合（メンテナンス時）に、便蓋９や便座８の開閉動作や便座洗浄機能等の不要な機能が実行されることを防止することができる。
【００６６】
また、便座装置４は、開閉検出部７がトップカバー６の開状態を検出した場合には、便座８及び便蓋９が開閉しないように制御してもよい。
【００６７】
このような構成によれば、メンテナンス時において使用者が誤ってリモコン装置２に触れてしまい、リモコン装置２から便座装置４に対して便座８や便蓋９の開閉動作を指示する指令が出力された場合であっても、便座８及び便蓋９の開閉動作が実行されることがない。
【００６８】
また、便座装置４は、開閉検出部７がトップカバー６の開状態を検出した場合には、メンテナンス時に不必要な機能を停止させてもよい。
【００６９】
このような構成によれば、メンテナンス時において、便器洗浄や局部洗浄の実行を防止することができる。
【００７０】
また、便座装置４は、トップカバー６が開状態となることでメンテナンス可能な状態となるメンテナンス装置２７を備え、開閉検出部７によりトップカバー６の閉状態（例えば、取り付け）が検出された場合には、メンテナンス装置２７の試運転を実行させてもよい。
【００７１】
このような構成によれば、メンテナンスが正常に実施されたか否かを判定することが可能となる。
【００７２】
また、便座装置４の設定を変更可能な操作部２８と、その設定を表示する表示部２９とを本体カバー５の上面６１に設けてもよい。
【００７３】
このような構成によれば、便座装置４の設定を変更するための機能をリモコン装置２に搭載する必要がなくなる。これにより、リモコン装置２をより簡易な構成とすることができる。
【符号の説明】
【００７４】
４  便座装置
５  本体カバー
６  トップカバー
７  開閉検出部
８  便座
９  便蓋
１０  機能部
２７  メンテナンス装置
２８  操作部
２９  表示部
３０  制御部
【図１】
2019170866.tif 000003
【図２】
2019170866.tif 000004
【図３】
2019170866.tif 000005